(57)【要約】【課題】接続端子付きの電線における接続端子部を効率良く切離すことができるようにする。【解決手段】刃先部１１が上方を向くように略直立状に設置されるニッパ１と、ニッパ１を駆動するものであって高圧エアにて作動するアクチュエータ２と、ニッパ１及びアクチュエータ２全体を覆うように設けられるものであって上記ニッパ１の刃先部１１を覆うところには接続端子９１を挿入するのに十分な平面形態を有する開口部３１を有するとともに当該開口部３１に連続するところには線状部材９９が挿入されるには十分な幅を有するものであって作業者の指幅よりは小さな値の幅を有するように形成された隙間部３２を有する形態からなるカバー３と、ニッパ１の作動を開始させるように機能するものであってレバー状の形態からなるスイッチ機構５と、からなる。【選択図】図１
2007313060.tif 000002
【特許請求の範囲】
【請求項１】
刃先部が上方を向くように設置されるニッパと、当該ニッパを駆動するものであって電磁力または高圧エアにて作動するアクチュエータと、これらアクチュエータ及びニッパをアタッチメントを介して一体的に支持するとともに上記ニッパ及びアクチュエータ全体を覆うように設けられるものであって上記ニッパの刃先部を覆うところには接続端子を挿入するのに十分な平面形態からなる開口部を有し、更に、当該開口部に連続するところには線状部材が挿入されるには十分な幅を有するものであって作業者の指幅よりは小さな値の幅を有するように形成された隙間部を有する形態からなるカバーと、当該カバーのところに設けられた上記開口部及び隙間部のところに接続端子付きの線状部材が設置された状態において、上記ニッパの作動を開始させるように機能するものであってレバー状の形態からなるスイッチ機構と、からなることを特徴とする接続端子切落し装置。
【請求項２】
請求項１記載の接続端子切落し装置において、上記開口部の一方の端部であって上記隙間部が設けられる側とは反対側のところに、接続端子の先端部が当接するストッパ部を設けるとともに、当該ストッパ部のところから上記隙間部が形成される側へ向って接続端子の長さ分だけ隔たったところに、上記ニッパの刃先部が来るように上記ニッパを設置するようにした構成からなることを特徴とする接続端子切落し装置。
【請求項３】
請求項１または請求項２記載の接続端子切落し装置において、上記ニッパ及びアクチュエータを内部に包含した状態で一体的に形成されるカバーの下方部のところに、通常は当該カバーを載置して上記ニッパにて切落された接続端子を一時的に溜め置くとともに、適宜、上記カバーを取外して上記溜め置かれた接続端子を排出させることのできるように形成されたコンテナボックスを設けるようにしたことを特徴とする接続端子切落し装置。
【発明の詳細な説明】
【技術分野】
【０００１】
本発明は、被覆電線等の端末部に取付けられている接続端子等を、その端子接続部のところから切落として、残りの被覆電線内に含まれる銅線（ワイヤ）を効率良く回収することのできるようにした接続端子切落し装置に関するものである。
【背景技術】
【０００２】
従来の電線切断装置、特にニッパ型の切断装置としては、例えば特開平８−１７５４３号公報記載のもの等が挙げられる。このものは、所定の高圧エアにて駆動されるエアニッパを所定の制御手段を介して適宜作動させ、電線あるいはワイヤを所定の位置あるいは所定の長さ等に手際良く切断するようにしているものである。ところで、上記従来の自動切断装置は、エアニッパ装置等を自動的に作動させるための作動制御装置等が必要とされる等、装置としては大掛りなものとならざるを得ず、その製造コストも高くならざるを得ないと言う問題点がある。このような観点から、従来においては、接続端子装着後における被覆電線等において、その端子装着状態が不良なもの、すなわち、不良端子付きの電線等については、作業者等が別途手動ニッパ等を用いた手作業にて端子の部分を切落として残りの電線部分を回収するか、あるいは、このような端子切落し作業を省略して、不良端子付き電線を、そのまま産業廃棄物として投棄していたものである。
【特許文献１】特開平８−１７５４３号公報
【発明の開示】
【発明が解決しようとする課題】
【０００３】
このような問題点を解決するために、簡単な操作にて、接続端子を、その電線への取付部のところから切離して、この接続端子の部分のみを廃棄するようにするとともに、残りの電線部分については、当該電線内に含まれる銅線部分を効率良く回収することできるようにした接続端子切落し装置を提供しようとするのが、本発明の目的（課題）である。
【課題を解決するための手段】
【０００４】
上記課題を解決するために、本発明においては次のような手段を講ずることとした。すなわち、請求項１記載の発明である第一の発明においては、接続端子切落し装置に関して、刃先部が上方を向くように設置されるニッパと、当該ニッパを駆動するものであって電磁力または高圧エアにて作動するアクチュエータと、これらアクチュエータ及びニッパを所定のアタッチメントを介して一体的に支持するとともに上記ニッパ及びアクチュエータ全体を覆うように設けられるものであって上記ニッパの刃先部を覆うところには接続端子を挿入するのに十分な平面形態からなる開口部を有し、更に、当該開口部に連続するところには線状部材が挿入されるには十分な幅を有するものであって作業者の指幅よりは小さな値の幅を有するように形成された隙間部を有する形態からなるカバーと、当該カバーのところに設けられた上記開口部及び隙間部のところに接続端子付きの線状部材が設置された状態において、上記ニッパの作動を開始させるように機能するものであってレバー状の形態からなるスイッチ機構と、からなるようにした構成を採ることとした。
【０００５】
また、請求項２記載の発明である第二の発明においては、請求項１記載の接続端子切落し装置に関して、上記開口部の一方の端部であって上記隙間部が設けられる側とは反対側のところに、接続端子の先端部が当接するストッパ部を設けるとともに、当該ストッパ部のところから上記隙間部が形成される側へ向って接続端子の長さ分だけ隔たったところに、上記ニッパの刃先部が来るように上記ニッパを設置するようにした構成を採ることとした。
【０００６】
また、請求項３記載の発明である第三の発明においては、請求項１または請求項２記載の接続端子切落し装置に関して、上記ニッパ及びアクチュエータを内部に包含した状態で一体的に形成されるカバーの下方部のところに、通常は当該カバーを載置して上記ニッパにて切落された接続端子を一時的に溜め置くとともに、適宜、上記カバーを取外して上記溜め置かれた接続端子を排出させることのできるように形成されたコンテナボックスを設けるようにした構成を採ることとした。
【発明の効果】
【０００７】
第一の発明によれば、接続端子の付いた電線を、その接続端子の部分をカバーに設けられた開口部のところに設置するとともに、そのような状態において、作業者がレバー状のスイッチ機構を操作することによって本装置を形成するニッパを作動させると、これによって上記接続端子は電線の先端部のところから簡単に切落される（切離される）こととなる。すなわち、従来において行なわれていた手動ニッパによる切断作業等とは異なり、小さな力にてスイッチ機構を形成するレバーを作動させることによって接続端子の切落し作業が行なわれるようになり、切落し作業を連続的に進めることができるようになる。その結果、不良端子の取付けられた状態のものであって従来は廃棄処分とされていた電線等から、銅線部分を効率良く回収することができるようになる。
【０００８】
また、第二の発明のものにおいても、上記第一の発明の場合と同様、不良接続端子付きの電線から銅線部分を効率良く回収することができるようになる。特に、本発明のものにおいては、接続端子の挿入される開口部のところに接続端子が当接されるものであって接続端子の切落とし位置（切離し位置）を決めるストッパ部が設けられるようになっていることより、接続端子の切落し作業時に、このストッパ部のところに接続端子の先端部を接触させた状態で固定することによって、自動的に、接続端子の電線への接続部の付け根部近傍のところから上記接続端子を切落す（切離す）ことができるようになる。その結果、電線における銅線部分をできる限り長く残した状態で上記接続端子の切落し作業（切離し作業）を行なうことができるようになり、銅線部分の回収効率をより高めさせることができるようになる。
【０００９】
また、第三の発明のものにおいても、不良接続端子の切落し作業（切離し作業）、及び被覆電線からの銅線部分の回収作業を効率良く進めることができるようになる。特に、本発明のものにおいては、切落された接続端子は自動的にコンテナボックス内に収容されることとなるので、切落し作業を連続的に、かつ、効率良く進めることができるようになる。そして、ある一定時間切落し作業が進められた状態において、切落された接続端子がコンテナボックス内にある程度量溜まった状態においては、コンテナボックス上に搭載されているものであってニッパ等を内蔵するカバーを取外して、コンテナボックス内に収容された接続端子を回収して、別の場所へと送り出すことができる。これによって、接続端子を形成する金属類等を別途回収することができるようになる。
【発明を実施するための最良の形態】
【００１０】
本発明を実施するための最良の形態について、図１ないし図３を基に説明する。本実施の形態にかかるものは、図１及び図２に示す如く、刃先部１１が上方を向くように略直立状に設置されるニッパ１と、当該ニッパ１を駆動するものであって高圧エアにて作動するアクチュエータ２と、これらアクチュエータ２及びニッパ１を支持し、かつ、固定するアタッチメント８と、当該アタッチメント８を介して一体的に設けられた上記ニッパ１及びアクチュエータ２全体を覆うように設けられるものであって上記ニッパ１の刃先部１１を覆うところには接続端子９１挿入用の開口部３１を有するとともに線状部材９９が挿入される隙間部３２を有する形態からなるカバー３と、当該カバー３のところに設けられた上記開口部３１及び隙間部３２のところに接続端子９１を有するワーク９が設置された状態において、上記ニッパ１の作動を開始させるように機能するものであってレバー状の形態からなるスイッチ機構５と、からなることを基本とするものである。そして、このような構成からなる上記カバー３の側壁部３５の下方部のところにはブラケット３３が適宜設けられるようになっているものである。また、このようなブラケット３３を介して、内部にニッパ１及びアクチュエータ２を一体的に有するカバー３がコンテナボックス６上に設置（載置）されるようになっているものである。
【００１１】
次に、このような構成からなる上記カバー３内に収納（設置）されるニッパ１及びアクチュエータ２等の設置状態について、図２を基に説明する。まず、図２に示す如く、カバー３を形成する、その側壁部３５の一部のところにはアタッチメント８を介してニッパ１及びアクチュエータ２が取付けられるようになっている。なお、このように取付けられるアクチュエータ２としては、電磁ソレノイドにて駆動されるソレノイド方式のものも考えられるが、本実施の形態においては、一般に工場内に設けられる高圧エアを利用できるよう、エアアクチュエータが採用されるようになっている。すなわち、このようなエアアクチュエータ２のところには、図２に示す如く、工場内にて生成された高圧エアがホースまたはチューブ２２等を介して、更には途中に設けられた切換バルブ２５等を介して導入されるようになっているものである。
【００１２】
次に、このようにして工場内高圧エア等の導入されるアクチュエータ（エアアクチュエータ）２のところには、図２に示す如く、アタッチメント８を介して取付けられたニッパ１が一体的に設置されるようになっているものである。そして、当該ニッパ１は、上記エアアクチュエータ２を形成するピストンにて駆動されるカム機構２８の作動等を介して、その刃先部１１のところが駆動されるようになっているものである。また、このような構成からなる上記切換バルブ２５のところには、図２に示す如く、当該切換バルブ２５をＯＮ／ＯＦＦ作動させるためのスイッチボタン５１が設けられるようになっており、このスイッチボタン５１のところには、カバー３の上方部に設けられたヒンジポイント（Ｏ５）を支点にして回転自在なように取付けられるレバー５５が設けられるようになっているものである（図１参照）。すなわち、このようなレバー５５、スイッチボタン５１等をもってスイッチ機構５が形成されるようになっているものである。このようなスイッチ機構５を形成する上記レバー５５を作業者等が作動させることによって、切換バルブ２５がＯＮ作動をし、アクチュエータ２内に高圧エアが導入され、これによってニッパ１が駆動され、接続端子９１付きの電線（ワーク）９が適宜切断されるようになっているものである。
【００１３】
また、このような構成からなるカバー３の上方部のところには、図１及び図３に示す如く、電線（ワーク）９の先端部が挿入される挿入用開口部が設けられるようになっている。この電線挿入用の開口部について説明する。このものは、図３に示す如く、電線の最先端部に設けられた接続端子９１が挿入されるのに十分な広さの開口面積を有する開口部３１と、当該開口部３１に連続して形成されるものであって電線等の線状部材９９の部分が挿入される幅を有する隙間部３２と、からなるものである。なお、上記隙間部３２の幅は電線等のワーク９を形成する線状部材９９の線径の値よりは大きく、かつ、作業者の指幅よりは狭く設定されているものである。このような値（幅）に設定することによって、作業者が作業中に誤って指を隙間部３２に挿入してしまうようなことの無いようにしているものである。また、上記開口部３１の先端部のところには、ワーク９挿入時に接続端子９１の先端部が接触して、ワーク９の切断位置（切落し位置）を決めることのできるように形成されたストッパ部３１１が設けられるようになっている。そして、このようなストッパ部３１１を基準にして、当該ストッパ部３１１のところから上記隙間部３２が形成される側へ向って、接続端子９１の長手方向の値（長さ分）Ｌだけ隔たったところに、上記ニッパ１の刃先部１１が来るように上記ニッパ１が設置されるようになっているものである（図３参照）。
【００１４】
次に、このような構成からなる本装置を用いての接続端子切落し作業（切離し作業）について説明する。まず、図３に示す如く、作業者は、接続端子９１の付いた電線（ワーク）９を、接続端子９１の先端部がストッパ部３１１のところに接するようにして接続端子９１を開口部３１のところへ挿入する。引続いて接続端子９１の後方部に形成される線状部材９９を隙間部３２内へ挿入する。このような状態において、作業者はワーク９を把持している手等をもってスイッチ機構５を形成するレバー５５を下方へ押下げる（図３参照）。これによって、スイッチボタン５１が作動し、切換バルブ２５がＯＮ作動をする。その結果、高圧エアがエアアクチュエータ２に導入され、ニッパ１が駆動され、その刃先部１１が切断作業を開始する（図２参照）。このとき、接続端子９１の先端部はストッパ部３１１のところに接触して接続端子９１の位置決めが成されるようになっていることより、接続端子９１の切落とし位置は自動的に設定されることとなる。従って、ワーク９は接続端子９１の線状部材（電線）９９への接続部の付け根部近傍部のところから切断され、上記接続端子９１は切落される（切離される）こととなる。その結果、電線における銅線部分をできる限り長く残した状態で上記接続端子９１の切落し作業（切離し作業）が行なわれるようになり、銅線部分の回収効率がより高められることとなる。
【００１５】
このようにして切落された接続端子９１は、図１に示す如く、コンテナボックス６内へ自動的に収容されることとなる。従って、接続端子切落し作業を連続的に、かつ、効率良く進めることができるようになる。そして、ある一定時間切落し作業が進められた状態において、切落された接続端子９１がコンテナボックス６内にある程度量溜まった状態においては、コンテナボックス６上に設置されるものであってニッパ１等を内蔵するカバー３を、上記コンテナボックス６から取外して、上記コンテナボックス６内に収容された接続端子９１を回収して、別の場所へと送り出すことができる。このようにして回収された接続端子９１については、当該接続端子９１を形成する金属類等を別途回収することができるようになる。
【図面の簡単な説明】
【００１６】
【図１】本発明の全体構成を示す展開斜視図である。
【図２】本発明の主要部をなすニッパ、アクチュエータ、カバー等の配置状態を示す斜視図である。
【図３】接続端子付き電線を開口部内に設置して切落し作業を行なう状態を示す斜視図である。
【符号の説明】
【００１７】
１  ニッパ
１１  刃先部
２  アクチュエータ
２２  チューブ（ホース）
２５  切換バルブ
２８  カム機構
３  カバー
３１  開口部
３１１  ストッパ部
３２  隙間部
３３  ブラケット
３５  側壁部
５  スイッチ機構
５１  スイッチボタン
５５  レバー
６  コンテナボックス
８  アタッチメント
９  ワーク（電線）
９１  接続端子
９９  線状部材
【図１】
2007313060.tif 000003
【図２】
2007313060.tif 000004
【図３】
2007313060.tif 000005